(57)【要約】【課題】  中間方向への操作が確実に検出できるようにした方向入力装置を提供すること。【解決手段】  ホルダアッパジョイント６と一体的に動作するジョイパッドノブ２の押下部２ｃ〜２ｆは、隣り合うタクトスイッチ１３ａ〜１３ｄの間となる方向入力に対して、隣り合うタクトスイッチ１３ａ〜１３ｄの両方で検出されるよう動作するものであり、隣り合うタクトスイッチ１３ａ〜１３ｄ間への操作入力の際に、前記可動部が動作しやすくなるよう、隣り合う前記検出部の両方が検出する位置へ誘導する手段を設けた。【選択図】      図１
2006318687.tif 000002
【特許請求の範囲】
【請求項１】
多方向への入力操作により動作する可動部と、
前記可動部に対して多方向へ配置され、前記可動部の動作を検出する複数の検出部と、
を備えた方向入力装置において、
前記可動部は、隣り合う前記検出部の間となる方向入力に対して、隣り合う前記検出部の両方で検出されるよう動作するものであり、
隣り合う前記検出部間への操作入力の際に、前記可動部が動作しやすくなるよう、隣り合う前記検出部の両方が検出する位置へ誘導する手段を設けた、
ことを特徴とする方向入力装置。
【請求項２】
請求項１に記載の方向入力装置において、
前記可動部の可動範囲を制限する可動範囲制限手段を設け、
前記誘導手段は、
前記可動範囲制限手段の可動境界形状である、
ことを特徴とする方向入力装置。
【請求項３】
請求項２に記載の方向入力装置において、
前記可動境界形状は、
隣り合う検出部の両方が検出する位置を頂点とする角部を有する形状である、
ことを特徴とする方向入力装置。
【請求項４】
請求項３に記載の方向入力装置において、
前記角部は、
角部を構成する２辺又は２面が９０度以下の小さい角を形成する、
ことを特徴とする方向入力装置。
【請求項５】
請求項３又は請求項４に記載の方向入力装置において、
前記可動範囲制限手段により制限される前記可動部部分の外周に突状角部を設けた、
ことを特徴とする方向入力装置。
【請求項６】
請求項３〜請求項５のいずれか１項に記載の方向入力装置において、
前記可動境界形状は、
隣り合う角部の頂点間を内側に凹ませるよう湾曲させた、
ことを特徴とする方向入力装置。
【発明の詳細な説明】
【技術分野】
【０００１】
本発明は、中立位置から、多方向へ向かって操作入力を行うことで、方向入力を行う方向入力装置の技術に関する。
【背景技術】
【０００２】
従来、中立位置に対して４方向にスイッチを配置し、操作部を倒しと際にスイッチが押されることで、操作入力された方向を検出する。２つのスイッチが同時に押された際には、その中間の角度方向に操作入力されたとして、合計８方向を検出している（例えば、特許文献１参照）。
【特許文献１】特開２０００−１２３６９０号公報
【発明の開示】
【発明が解決しようとする課題】
【０００３】
しかしながら、従来にあっては、スイッチの中間の検出において、２つのスイッチが両方押される状態は、１つのスイッチが押される検出よりも、検出されにくいものであった。そのため、中間方向への操作を行った際に、検出されないことがあった。
【０００４】
本発明は上記課題を解決するためになされたものであって、その目的とするところは、中間方向への操作が確実に検出できるようにした方向入力装置を提供することにある。
【課題を解決するための手段】
【０００５】
本発明の請求項１記載の発明では、多方向への入力操作により動作する可動部と、前記可動部に対して多方向へ配置され、前記可動部の動作を検出する複数の検出部と、を備えた方向入力装置において、前記可動部は、隣り合う前記検出部の間となる方向入力に対して、隣り合う前記検出部の両方で検出されるよう動作するものであり、隣り合う前記検出部間への操作入力の際に、前記可動部が動作しやすくなるよう、隣り合う前記検出部の両方が検出する位置へ誘導する手段を設けた、ことを特徴とする。
【発明の効果】
【０００６】
請求項１記載の発明にあっては、中間方向への操作が確実に検出できる。
【発明を実施するための最良の形態】
【０００７】
以下、この発明の実施例を図面に基づいて説明する。
【実施例１】
【０００８】
以下、実施例１を説明する。
実施例１の方向入力装置は、方向入力の他に回転入力、押圧入力も行うものである。
図１は本発明の実施例１の方向入力装置を示す全体分解図、図２は本実施例１の方向入力装置を示す平面図（サーキットアッシは省略）、図３は本実施例１の方向入力装置の側面図（サーキットアッシは省略）、図４は図２のＳ４−Ｓ４線における断面図、図５は図２のＳ５−Ｓ５線における断面図、図６は図２のＳ６−６線における断面図である。
【０００９】
図７は図２のＳ４−Ｓ４線における斜め方向入力時の作用を説明する図、図８は図２のＳ５−Ｓ５線における十字方向入力時の作用を説明する図である。図９は図２のＳ６−Ｓ６線における十字方向入力時の作用を説明する図である。
【００１０】
先ず、全体構成を説明する。
図１〜６に示すように、本実施例１の方向入力装置は、ダイヤルノブ１と、ジョイパッドノブ２と、決定ノブ３と、決定スプリング４と、ホルダジョイパッド５と、ホルダアッパジョイント６と、ジョイパッドスプリング７と、スライダジョイパッド８と、ガイドライト９と、ベースダイヤル１０と、ベースジョイパッド１１と、プッシュロッド１２ａ〜１２ｄと、サーキットアッシ１７を備えている。
【００１１】
ダイヤルノブ１は、全体が略円筒形状に形成される他、その上端部１ａは略平坦に形成されると共に、この上端部１ａから径方向外側に向かって突出した複数の突出部１ｂが同心配置されている。
また、ダイヤルノブ１の下端の径方向４箇所には、開口部１ｃを有して下方に延設された固定部１ｄ（図１、３、５参照）が設けられると共に、各々の開口部１ｃにベースダイヤル１０の爪部１０ａが凹凸結合されることにより、ダイヤルノブ１の下端がベースダイヤル１０の外周に外嵌した状態で両者が一体的に固定されている。
【００１２】
ベースダイヤル１０の下端には、下方に延設された複数の舌片部１０ｂが同心配置されると共に、各々の舌片部１０ｂは略円筒形状のベースジョイパッド１１に形成された外溝１１ａ内に挿入された状態となっている。
また、ベースダイヤル１０は、その上端がベースジョイパッド１１の径方向４箇所に設けられた爪部１１ｂ（図１参照）によって位置決めされた状態で周方向に摺動可能に支持され、その下端が外溝１１ａの一部でもある突部１１ｃに位置決めされた状態で摺動可能に支持された状態となっている。
【００１３】
ベースジョイパッド１１の下端の径方向４箇所には、爪部１１ｄを有して下方に延設された脚部１１ｅが形成されると共に、各々の爪部１１ｅがサーキットアッシ１７を貫通した状態で係止固定されることにより、両者が一体的に固定されている。
従って、ダイヤルノブ１とベースダイヤル１０は、ベースジョイパッド１１（及びサーキットアッシ１７）に対して周方向に回転可能に設けられている。
【００１４】
ジョイパッドノブ２は、略円筒形状に形成される他、その上端部２ａはダイヤルノブ１の上端部１ａから上方へ露出した状態で配置されている。
ジョイパッドノブ２上における中心Ｏの十字方向には、上方へ突出した円弧形状の突起部２ｂがそれぞれ形成される。
また、突起部１ｂが配置された十字方向と４５°の角度を有して直交する位置に、ジョイパッドノブ２の内側から下方に延設された円柱状の押下部２ｃ〜２ｆが形成されている。
【００１５】
押下部２ｃ〜２ｆの下端には、ベースジョイパッド１１の貫通溝１１ｆに摺動可能に支持された略棒状のプッシュロッド１２ａ〜１２ｄの上端が当接され、さらに、プッシュロッド１２ａ〜１２ｄの下端には、サーキットアッシ１７に設けられたタクトスイッチ１３ａ〜１３ｄのスイッチ面が当接されている。
また、ジョイパッドノブ２の中央は中心Ｏにいくにつれて低く傾斜した円形状の開口部２ｇが設けられ、ここに略円柱形状の決定ノブ３の上方が突出した状態で配置されている。
【００１６】
決定ノブ３は、下方に開口した円周溝３ａが形成されると共に、この円周溝３ａ内に設けられた決定スプリング４によってその上方をダイヤルノブ１の開口部２ｇの下端に付勢され、さらに、その側方をホルダアッパジョイント６の外側筒部６ａの内側に摺動可能に支持されることにより、ホルダアッパジョイント６の外側筒部６ａ内で上下動可能に設けられている。
また、決定ノブ３の側方一部には、Ｌ字状に下方へ屈折した押下部３ｂ（図１、５参照）が形成されると共に、該押下部３ｂは、上述した押下部２ｃ〜２ｆと同様に、プッシュロッド１４を介してタクトスイッチ１５のスイッチ面が当接されている。
【００１７】
ホルダアッパジョイント６の外側筒部６ａの下方に突出するように、外側筒部６ａよりも細い係合部６ｃが、ホルダアッパジョイント６には形成されている。
実施例１では、係合部６ｃは４角柱形状であり、その内側にジョイパッドスプリング７で下方に付勢された略円柱形状のスライダジョイパッド８が設けられると共に、このスライダジョイパッド８の下方は、ガイドライト９の円錐溝９ａの傾斜したテーパ角９ｂに付勢された状態で上下動可能に設けられている。なお、本実施例のスライダジョイパッド８の下端は半球形状に形成されている。
【００１８】
ガイドライト９は、径方向外側へ突出された複数の脚部９ｃがベースジョイパッド１１に固定されている。
また、ガイドライト９は、透明な素材を用いて形成されると共に、図示を省略する光源が下方に配置されることにより、光源の光を上方に透過させて後述する操作者における操作の視覚的補助を行うように構成されている。
さらに、ガイドライト９の円錐溝９ａは、上部が開口した、ホルダアッパジョイント６の係合部６ｃ、スライダジョイパッド８、スプリング７を挿入する凹形状部分の底に設けられる。このガイドライト９の凹形状部分の円錐溝９ａの上部、つまり凹形状の内筒は、ホルダアッパジョイント６の係合部６ｃの外周方向に位置することになる４角穴形状の制限部９ｄとなる（図１０参照）。
【００１９】
制限部９ｄの４角穴形状は、ホルダアッパジョイント６の係合部６ｃより大きな４角穴とし、中立状態でのそれぞれの角部の方向位置は合わせる。つまり、制限部９ｄは係合部６ｃの動きを制限する部分となる。
円錐溝９ａは、中央に行くに従って下方へ向かう円錐形状である。
受穴部９ｅは、円錐溝９ａの円錐の頂点部分を無くすように設けられる。これにより、円錐溝９ａの下端部分は円周状になる。
【００２０】
この制限部９ｄと係合部６ｃの４角形状の角部は、タクトスイッチ１３ａ，１３ｂの中間、１３ｂ，１３ｃの中間、１３ｃ，１３ｄの中間、１３ｄ，１３ａの中間、つまり、中心Ｏに対して外周方向に配置した、タクトスイッチ１３ａ〜１３ｄの周方向に隣合う２つの中間方向を向くように配置する。
【００２１】
また、ホルダアッパジョイント６の外側筒部６ａには、径方向外側へ突出する係止ピン６ｂ（図１参照）が形成されると共に、この係止ピン６ｂが略円筒形状のホルダジョイパッド５に設けられた係止孔５ａに回転可能に軸支され、さらに、このホルダジョイパッド５における上記係止ピン６ｂの直交する位置に設けられた係止ピン５ｂがベースジョイパッド１１に対して回転可能に軸支されることにより、上述したジョイパッドノブ２（及び決定ノブ３、決定スプリング４、ホルダジョイパッド５、ホルダアッパジョイント、ジョイパッドスプリング、スライダジョイパッド）はジョイパッドノブ２上の十字方向と斜め方向の合計８方向に、ダイヤルノブ１（及びガイドライト９、ベースダイヤル１０、ベースジョイパッド１１、プッシュロッド１２ａ〜１２ｄ、サーキットアッシ１６）に対して回動可能に構成されている。
【００２２】
なお、図示を省略するが、ダイヤルノブ１及びベースダイヤル１０には、ダイヤルノブ１の回転に伴うベースダイヤル１０の舌片部１０ｂとベースジョイパッド１１の外溝１１ａとの相対位置を検出してダイヤルノブ１の回転位置を検出するための回転位置検出機構が設けられる他、ダイヤルスプリングポジション２０（図１参照）で径方向外側に付勢されたダイヤルスライダポジション２１をベースダイヤル１０の内側の凹凸溝１０ｃに凹凸嵌合させながらダイヤルノブ１を回転させることで操作者に間欠的な操作反力を与えるクリック機構が設けられている。
【００２３】
次に、作用を説明する。
このように構成された方向入力装置は、サーキットアッシ１７が図外の車載装置、例えば車載モニタ、ナビゲーション装置などに電気的に接続された状態で車両に搭載され、操作者は、車載モニタ等の画面を見ながら後述するダイヤルノブ１の回転操作、決定ノブ３の押下操作、ジョイパッドノブ２の回動操作を行うことにより、様々な情報を得たり車載装置の設定・指示を行う。
【００２４】
[ダイヤルノブの回転操作について]
操作者が、ダイヤルノブ１を指で掴んで適宜回転させると、回転位置検出機構がベースダイヤル１０の舌片部１０ｂとベースジョイパッド１１の外溝１１ａとの相対位置の変化を検出し、これにより、ダイヤルノブ１の回転位置を検出できる。
また、この際、操作者はクリック機構の間欠的な操作反力によって適度なクリック感を得ることができる。
【００２５】
[決定ノブの押下操作について]
操作者が、決定ノブ３を指で押下した場合には、決定ノブ３の押下部３ｂが決定スプリング４の付勢力に反してプッシュロッド１４を介してタクトスイッチ１５のスイッチ面を押下し、これにより、タクトスイッチ１５がオンとなって決定ノブ３の押下操作を検出できる。
なお、補足ではあるが、操作者が決定ノブ３から指を離すと決定スプリング４の復元力によって、決定ノブ３は元の位置に戻る。
【００２６】
[ジョイパッドノブの方向入力操作について]
操作者が、ジョイパッドノブ２上の斜め方向、例えば、図２のＡ方向に回動操作する場合には、図７に示すように、ダイヤルノブ１の上端部１ａとジョイパッドノブ２上のＡ方向位置の上端部２ａに指３０を掛けてジョイパッドノブ２を押下することにより、ジョイパッドノブ２（及び決定ノブ３、決定スプリング４、ホルダジョイパッド５、ホルダアッパジョイントと、ジョイパッドスプリング７、スライダジョイパッド８）を回動させて図４に示す第１の位置から図７に示す第２の位置に移動させると共に、ジョイパッドノブ２の押下部２ｃがプッシュロッド１２ａを介してタクトスイッチ１３ａのスイッチ面を押下し、これによって、タクトスイッチ１３ａがオンとなってＡ方向の方向入力操作を検出できる。
【００２７】
なお、スライダジョイパッド８の下端は、上記回動時において円錐溝９ａのテーパ角９ｂから位置ずれした状態となるが、操作者がジョイパッドノブ２から指を離した際に、ジョイパッドスプリング７の復元力によってパッドノブ２が元の位置に戻るのに伴ってスライダジョイパッド８の下端も円錐溝９ａの傾斜に摺動しながら元の位置に戻る。言い換えて説明すると、円錐溝９ａの下端の受穴部９ｅにスライダジョイパッド８の下端球形部分が安定して係合した状態が中立状態であり、この中立状態から方向入力の際には、受穴部９ｅから外れ、ジョイパッドスプリング７を圧縮しつつ、円錐溝９ａのテーパを登る動きを行うことで、適度な操作入力感、つまり反力を得られるようにし、操作入力がなくなると確実
に中立位置へ戻る動きを行うのである。
【００２８】
また、ジョイパッドノブ２を回動させ、スライダジョイパッド８が中立位置から移動する際には、同じ方向へホルダアッパジョイント６の係合部６ｃが回転傾動する。この操作方向の場合には、係合部６ｃの動きは、図１１に示す動きとなる。つまり、係合部６ｃの外周形状の４角柱の１面の１辺が、ガイドライト９の制限部９ｄの４角穴の１面の１辺に当接する動きとなり、それ以上の回転傾動する動きをさせないようにする。この動きを制限した状態では、４つのタクトスイッチ１３ａ〜１３ｄのうちのいずれか１つが確実に押圧により入力されている。
【００２９】
次に、操作者がジョイパッドノブ２上の十字方向、例えば、図２のＢ方向に方向入力操作する場合には、図８に示すように、ダイヤルノブ１の上端部１ａとジョイパッドノブ２上のＢ方向位置の突起部２ｂに指３０を掛けてジョイパッドノブ２を押下することにより、ジョイパッドノブ２（及び決定ノブ３、決定スプリング４、ホルダジョイパッド５、ホルダアッパジョイントと、ジョイパッドスプリング７、スライダジョイパッド）を回動させて図５に示す第１の位置から図８、９に示す第２の位置に移動させると共に、ジョイパッドノブ２の押下部2c,2dがプッシュロッド12a,12bを介してタクトスイッチ13a,13bのスイッチ面を同時に押下し、これによって、タクトスイッチ13a,13bがオンとなってＢ方向の方向入力操作を検出できる。
【００３０】
また、ジョイパッドノブ２を回動させ、スライダジョイパッド８が中立位置から移動する際には、同じ方向へホルダアッパジョイント６の係合部６ｃが回転傾動する。この操作方向の動きの場合には、係合部６ｃの動きは、図１２に示す動きとなる。つまり、係合部６ｃの外周形状の４角柱の１つの角部が、ガイドライト９の制限部９ｄの４角穴の１つの角に向かう動きとなる。
この際に、係合部６ｃの外周形状の４角形状より、制限部９ｄの４角穴形状は大きいため、この形状範囲内で係合部６ｃは、位置ずれが可能である。この方向の操作入力の際に、係合部６ｃの角部と制限部９ｄの角部が位置ずれを起こしている際には、制限部９ｄの角部を形成する２面または接触の状態により２辺のどちらかに、係合部６ｃが接触することになる。すると、ジョイパッドノブ２へ加わる操作力が位置ずれや角度のある程度のずれを起こしていても、制限部９ｄの角部を形成する２面、または２辺が角部の頂点へ斜めに向かう傾斜となり、その傾斜で摺動する動きを係合部６ｃがするため、係合部６ｃは角部の頂点へ向かって移動し、タクトスイッチ１３ａ〜１３ｄの隣り合う２つが押圧入力される範囲へ確実に導かれる。図１３を参照して説明すると、それぞれ１つのタクトスイッチが検出する範囲はaa,bb,cc,ddであり、２つのタクトスイッチが検出する角部範囲がab,bc,cd,adとなる。
【００３１】
つまり、図１３に示す制限部９ｄで形成される係合部６ｃの可動境界範囲において、タクトスイッチ１３ａ〜１３ｄの２つがONとなる領域の両側の可動境界線と、中心Ｏから外周方向へ延長した線の、両スイッチがONとなる領域側になす角Ｄを９０度より小さくするため、係合部６ｃが可動境界範囲で摺動し、確実に両スイッチで検出される領域へ移動する。
【００３２】
さらに、この方向入力操作の際に、可動境界範囲に沿って移動する係合部６ｃが位置ずれした位置から角部へ向かう際に、その抵抗が大きいと、操作者は入力したとして操作を止めてしまうことがある。この場合には、その方向入力が不確実なものとなる。実施例１では、操作入力された力を効率よく両スイッチの検出位置へ導くため、抵抗は小さく、より確実な操作入力となる。
これにより、１３ａ〜１３ｄを検出すべきジョイパッドノブ２の入力方向（８方向）よりも少ない構成数としながらも、ジョイパッドノブ２の入力方向を確実に検出でき、これによって、装置全体のコンパクト化や部品点数、製造コスト、重量の削減を達成できるものである。
【００３３】
本実施例１では、タクトスイッチが２つ同時に押されることが１つ押されることに対して有する確実性の低さを、方向入力される際に動作する部材の動きを制限・誘導して、その部材の動きとしてはタクトスイッチが２つ同時に押される方向へ動きやすいようにすることで、タクトスイッチの数を節約しながらも、タクトスイッチより多くした多くの方向入力の確実性を向上させるものである。
【００３４】
次に、効果を説明する。
本実施例１にあっては、以下に列挙する効果を有する。
(1)多方向への入力操作により動作するホルダアッパジョイント６の係合部６ｃと、係合部６ｃに対して多方向へ配置され、係合部６ｃの動作を検出する複数のタクトスイッチ１３ａ〜１３ｄとを備えた方向入力装置において、ホルダアッパジョイント６と一体的に動作するジョイパッドノブ２の押下部２ｃ〜２ｆは、隣り合うタクトスイッチ１３ａ〜１３ｄの間となる方向入力に対して、隣り合うタクトスイッチ１３ａ〜１３ｄの両方で検出されるよう動作するものであり、隣り合うタクトスイッチ１３ａ〜１３ｄ間への操作入力の際に、前記可動部が動作しやすくなるよう、隣り合う前記検出部の両方が検出する位置へ誘導する手段を設けたため、中間方向への操作が確実に検出できる。
【００３５】
(2)ホルダアッパジョイント６の係合部６ｃの可動範囲を制限するガイドライト９の制限部９ｄを設け、誘導する手段を制限部９ｄの可動境界形状としたため、タクトスイッチ１３ａ〜１３ｄとの関係から、押下させ過ぎることを、係合部６ｃと制限部９ｄの係合で防ぐようにする。この係合部６ｃは、本来、スプリング７、スライダジョイパッド８のガイドとなり、その外周部を用いるため、スペースに無駄がない。さらに、この外周が係合する制限部９ｄの形状で決まる可動境界形状により、操作されたことにより加わる力で、隣り合う前記検出部の両方が検出する位置へ誘導するため、コストを増加させることなく、且つ占有するスペースを増加させることなく、中間方向への操作が確実に検出できる。
【００３６】
(3)可動境界形状は、隣りあうタクトスイッチ１３ａ〜１３ｄの両方が検出する位置を頂点とする角部を有する形状であるため、角部を形成する面へ辺を摺動させ、角部へ向かって係合部６ｃを誘導して、中間方向への操作が確実に検出できる。
【００３７】
(4)角部は、角部を構成する２辺又は２面が９０度以下の角を形成するため、操作により入力された力を効率よく係合部６ｃが角部へ向かう力にし、且つ摺動しやすくして、中間方向への操作が確実に検出できる。
【００３８】
(5)係合部６ｃの外周に突状の角部を設けたため、係合部６ｃの突状角部が、制限部９ｄの角部へ嵌合するようにして、さらに確実に中間方向への操作が確実に検出できる。
【実施例２】
【００３９】
実施例２は、可動境界形状を、角部間を内部に向かうよう湾曲させる形状にした例である。
図１４は実施例２の可動境界形状を示す説明図である。図１５は実施例２の係合部及び制限部を示す断面図である。
実施例２の構造を説明する。
実施例２では、ホルダアッパジョイント６の係合部６ｃを実施例１と同様、４角柱形状とし、ガイドライト９の制限部９ｄの断面形状を、４つの角部を有し、角部頂点間を中心Ｏに向かうよう湾曲させた形状にする。
【００４０】
作用を説明する。
[ジョイパッドノブの方向入力操作について]
実施例２において、タクトスイッチ１３ａ〜１３ｄの隣り合うものの中間方向への操作、つまり、図１４の角部頂点方向への操作が、ずれた入力となっている場合について説明する。具体的に、例えば中心Ｏからの操作方向が角度ずれの場合、可動境界線と操作方向の角部側に成す角を角度Ｄとする。すると、実施例２では、角部頂点間を湾曲形状にしたことにより、角部頂点間を直線で結ぶ形状、つまり４角形状に比較して、角度Ｄはさらに小さくなる。これにより、図１４に示す角部付近の両スイッチがONとなる範囲へ係合部６ｃが移動しやすくなる。
【００４１】
また、タクトスイッチ１３ａ〜１３ｄ方向への操作位置から少しずれでもずれると、湾曲形状の作用になり角度Ｄが小さくなり角部へ移動しやすくなる。そのため、タクトスイッチ１３ａ〜１３ｄ方向への操作から、タクトスイッチ１３ａ〜１３ｄの中間方向への操作へ変更する際もスムーズに移行する。
さらに、４角柱形状の係合部６ｃとの接触面積が小さくなるために、タクトスイッチ１３ａ〜１３ｄの中間方向への操作、及び操作方向切り替えの際に摺動抵抗が小さくなり、スムーズな移行となる。
【００４２】
効果を説明する。
(6)可動境界形状は、隣り合う角部の頂点間を内側に凹ませるよう湾曲させたため、さらに確実に中間方向への操作が確実に検出できる。また、タクトスイッチ方向と中間方向との操作の切り替えをスムーズに行うことができる。
その他構成、作用効果は実施例１と同様であるので、説明を省略する。
【実施例３】
【００４３】
実施例３は、ホルダアッパジョイント６の係合部６ｃの外周形状を円柱形状とした例である。
図１６は実施例３の係合部及び制限部を示す断面図である。
実施例３では、係合部６ｃの外周形状を円柱形状とし、タクトスイッチ１３ａ〜１３ｄの中間方向への動きの際には、制限部９ｄの角部を構成する２辺のそれぞれに外周の２点が接する。この状態以外では、円と直線又は円柱と平面が点、または線状の非常に小さい接触となり、抵抗少なく摺動することができる。
このような係合部６ｃ形状であってもよい。
その他構成、作用効果は実施例１と同様であるので、説明を省略する。
【実施例４】
【００４４】
実施例４は、ホルダアッパジョイント６の係合部６ｃの外周形状を４角柱形状とし、非接触部分を設けた例である。
図１７は実施例４の係合部及び制限部を示す断面図である。
実施例４では、係合部６ｃの外周形状を４角柱形状とし、さらに、係合部６ｃの断面形状において、角部と角部を結ぶ直線の中央を内部側へ凹ませる。つまり、それぞれの角部周辺のみ辺部分を有し、中央部分を凹ませ、タクトスイッチ１３ａ〜１３ｄ方向への操作の際に角部周辺のみ制限部９ｄに接触する形状である。
このような形状にして、接触面積を減らし、摺動抵抗を少なくするとともに、安定した制限部９ｄへの接触となるようにしてもよい。
その他構成、作用効果は実施例１と同様であるので、説明を省略する。
【００４５】
以上、本実施例を説明してきたが、本発明は上述の実施例に限られるものではなく、本発明の要旨を逸脱しない範囲の設計変更等があっても、本発明に含まれる。
【００４６】
実施例１〜実施例４においては、制限部に対する係合部の動きは、係止ピン５ｂ及び係止ピン６ｂによる回動する動きによる。そのため、係合部６ｃの下端、又は制限部９ｄの下端が接触する動きとなる。これに対し、例えば操作入力に対しスライド移動する構造であっても、係合部及び制限部を有していればよく。この構造に限られない。
【図面の簡単な説明】
【００４７】
【図１】本発明の実施例１の方向入力装置を示す全体分解図である。
【図２】本実施例１の方向入力装置を示す平面図（サーキットアッシは省略）である。
【図３】本実施例１の方向入力装置の側面図（サーキットアッシは省略）である。
【図４】図２のＳ４−Ｓ４線における断面図である。
【図５】図２のＳ５−Ｓ５線における断面図である。
【図６】図２のＳ６−Ｓ６線における断面図である。
【図７】図２のＳ４−Ｓ４線における斜め方向回動時の作用を説明する図である。
【図８】図２のＳ５−Ｓ５線における十字方向回動時の作用を説明する図である。
【図９】図２のＳ６−Ｓ６線における十字方向回動時の作用を説明する図である
【図１０】図４のＳ７−Ｓ７線における断面図である。
【図１１】図７のＳ８−Ｓ８線における斜め方向回動時の作用を説明する断面図である。
【図１２】図８のＳ９−Ｓ９線における十字方向回動時の作用を説明する断面図である。
【図１３】可動境界形状を示す説明図である。
【図１４】実施例２の方向入力装置の可動境界形状を示す説明図である。
【図１５】実施例２の方向入力装置の係合部及び制限部を示す断面図である。
【図１６】実施例３の方向入力装置の係合部及び制限部を示す断面図である。
【図１７】実施例４の方向入力装置の係合部及び制限部を示す断面図である。
【符号の説明】
【００４８】
１  ダイヤルノブ
１ａ  上端部
１ｂ  突出部
１ｃ  開口部
１ｄ  固定部
２  ジョイパッドノブ
２ａ  上端部
２ｂ  突起部
２ｃ、２ｄ、２ｅ、２ｆ、３ｂ  押下部
２ｇ  開口部
３  決定ノブ
３ａ  円周溝
３ｂ  押下部
４  決定スプリング
５  ホルダジョイパッド
６  ホルダアッパジョイント
６ａ  外側筒部
６ｂ  係止ピン
６ｃ  係合部
７  ジョイパッドスプリング
８  スライダジョイパッド
９  ガイドライト
９ａ  円錐溝
９ｂ  テーパ角
９ｃ、１１ｅ  脚部
９ｄ  制限部
１０  ベースダイヤル
１０ａ  上方筒部
１０ｂ  舌片部
１０ｃ  凹凸溝
１１  ベースジョイパッド
１１ａ  外溝
１１ｂ、１１ｄ  爪部
１１ｃ  突部
１１ｆ  貫通溝
１２ａ、１２ｂ、１２ｃ、１２ｄ、１４  プッシュロッド
１３ａ、１３ｂ、１３ｃ、１３ｄ、１５  タクトスイッチ
１７  サーキットアッシ
２０  ダイヤルスプリングポジション
２１  ダイヤルスライダポジション
３０  指
【図１】
2006318687.tif 000003
【図２】
2006318687.tif 000004
【図３】
2006318687.tif 000005
【図４】
2006318687.tif 000006
【図５】
2006318687.tif 000007
【図６】
2006318687.tif 000008
【図７】
2006318687.tif 000009
【図８】
2006318687.tif 000010
【図９】
2006318687.tif 000011
【図１０】
2006318687.tif 000012
【図１１】
2006318687.tif 000013
【図１２】
2006318687.tif 000014
【図１３】
2006318687.tif 000015
【図１４】
2006318687.tif 000016
【図１５】
2006318687.tif 000017
【図１６】
2006318687.tif 000018
【図１７】
2006318687.tif 000019